(57)【要約】      （修正有）【課題】植物の生育に必要な光、空気、雨水等を遮断し、地中の植物が発芽するのを防ぐことができる海成堆積の土壌（クチャ）の加工品を提供する。【解決手段】海成堆積の土壌（クチャ）を球形やペレット状に加工後、７００〜８００度の高温で焼き固めてセラミックスに加工する。このセラミックスを街路樹や花壇内の土の表面に３〜５センチの厚さに敷き詰めると、セラミックスは光や空気等を遮断して土中にある植物の種子が発芽するのを防ぎ、また地中の球根や茎が地表まで伸び成育するのを防ぐ。【選択図】図３
0003201641.tif 000002
【実用新案登録請求の範囲】
【請求項１】
海成堆積の土壌（クチャ）を固体に加工後７００〜８００度の高温で加熱処理した土壌。
【請求項２】
海成堆積の土壌（クチャ）を粉末または水溶液に加工後土壌に散布する粉末や水溶液。
【考案の詳細な説明】
【技術分野】
【０００１】本考案は光や空気等を遮断する土壌（セラミックス）の加工に関するものである。
【背景技術】
【０００２】沖縄の土壌は、ジャーガル．島尻マージ．国頭マージ．海成堆積のクチャ等で構成されているが、海成堆積のクチャは主に沖縄本島中南部に多く分布している。【０００３】海成堆積のクチャは、海底に堆積した泥炭からできた細かい粒子の土壌で、灰色または青灰色をした土壌である。【０００４】海成堆積のクチャは数百万年前、中国大陸から運ばれてきた土砂が、海底に堆積した後、地上に隆起した土壌である。【０００５】海成堆積のクチャには、貝の化石や珊瑚の死骸等の炭酸カルシウム及びミネラル分を豊富に含有し、このクチャを高温で加熱すると茶褐色に変色する。【０００６】海成堆積のクチャは水分の吸収率が高く保水力のある土壌で、日照りが続くとすぐに乾燥して固まつてしまい、植物の生育には適さない土壌である。【０００７】海成堆積のクチャには、水分が２０〜４０％、比重は２７０〜２８０で、水分を含むとすぐに軟化するアルカリ性土壌で、吸水と乾燥を繰り返す為崩壊しやすく、大雨等の災害時には土砂崩れを起こし、災害をもたらす大変危険な土壌である。【０００８】海成堆積のクチャは、植物の生育に不適な土壌で雑草も生育しない土壌であるが、このクチャを球形やペレット状に加工して、７００〜８００度の高熱で加工後、この土壌（セラミックス）で地表を覆うと、植物の生育に必要な光や空気．雨水等を遮断し、地中にある植物が発芽するのを防ぐ事ができる。【０００９】海成堆積のクチャは、植物の生育には不適な土壌で、雑草も生育しない土壌である事を利用して粉末に加工する。また粉末を水で溶いて土壌に散布すると、クチャの溶液が地中に浸透し植物の種が発芽するのを防ぐ事が可能になる。【００１０】考案者は、海成体積のクチャを球形やペレット状に加工後、７００〜８００度の高温で焼き固めてセラミックスに加工する。このセラミックスで地表を３〜５センチの厚さで覆うと、土中にある植物の種子等が発芽しようとしても、光や空気、水分等を吸収する事ができず、植物が発芽する事ができないセラミックスに加工する事を考案した。
【先行技術文献】
【００１１】
【特許文献】
【特許文献】平成１７年１１月７日  特許第３７３５８３９号公報  （平成２０年１１月特許失効）  乾燥モズクの製造方法
【特許文献】平成２６年  月７日  実用新案特許第３１９６００７号公報  水分を吸排出する土壌
【非特許文献】
【００１２】
【非特許文献１】財団法人日本食品分析センター、分析試験成績書  平成１４年１２月２０日、第４０２１２０１１７−００１号
【非特許文献２】財団法人沖縄県環境科学分析センター、分析試験成績書  平成１７年６月２１日  第２００５‐Ｂ００９２１−０１号
【考案の概要】
【考案が解決しようとする課題】
【００１３】海成堆積のクチャは植物の生育に不適な土壌で、雑草も生育できない不毛の土である。このクチャの特性を利用し、植物の生育に必要な光や空気．水分等を遮断する土壌に加工する事が課題であった。【００１４】
【課題を解決する手段】
【００１５】海成堆積のクチャは、植物の生育に不適な土壌で雑草を生育しない土壌である。このクチャを球形やペレット状に加工後、７００〜８００度の高音で焼き固めセラミックスに加工する。このセラミックスで地表を３〜５センチの厚さで覆うと、地中にある植物の種子や球根は、植物の生育に必要な光や空気等から遮断され、発芽したり生育する事が困難になる。
【００１６】海成堆積のクチャを１〜５ミリの球形、または直径１〜２ミリ、長さ３〜５ミリのペレット状に加工後、７００〜８００度の高温で焼き固めて、セラミックスに加工する。このセラミックスで地表を３〜５センチの厚さで覆うと、植物の生育に必要な光や空気や水分等が遮断され、また地表のセラミックスが水分をすぐに吸排出するので、地中の水分まで吸出してしまい、地中にある植物の種子等が発芽するのを阻害する。
【考案の効果】
【００１７】海成堆積のクチャを、７００〜８００度で加工したセラミックスは、土壌内の水分を吸排出する。このセラミックスの上に植物の種子等が落下してきても、種子は水分を吸収する事ができず、発芽する事が出来ない。またセラミックスには栄養分が極端に含まれていない為、植物は発芽できず成長する事もできない。
【００１８】海成堆積のクチャをセラミックスに加工後、街路樹等の下の地表や花壇の中の地表に敷き詰めると、地中にある植物の種子等が発芽できなくなる。また敷き詰められたセラミックスは数年後に瓦解し、元の土壌（クチヤ）に戻り、光や空気等を遮断する。
【図面の簡単な説明】
【００１９】
【図１】図１は、原料の海成堆積のクチャを示した図面の代用写真である。（実施例１）
【図２】図２は、原料の海成堆積のクチャを球形やペレット状に加工した図面の代用写真である。（実施例２）
【図３】図３は、原料の海成堆積のクチャを球形やペレット状に加工後、７００〜８００度の高温で加工した図面の代用写真である。（実施例３）
【考案を実施するための形態】
【００２０】沖縄の土壌である海成堆積のクチャは、これまで焼き物として茶器類や瓦等に加工されるだけの土壌であった。このクチャを直径１〜５ミリの球形、または直径１〜２ミリ、長さ５〜１０ミリのペレット状に加工後、７００〜８００度の高温で焼き固め、セラミックスに加工する。
【００２１】加工されたセラミックスには水分を吸排出する性質があり、またセラミックスには栄養分が少ない為、セラミックスを使用した土に植物を植えても生育する事はできない。
【００２２】セラミックスで地表を３〜５センチの厚さで覆うと、光や空気を遮断するだけでなく、セラミックスが地中の水分を吸収して地表に排出する為、地中にある植物の種子や球根等は生育できず、休眠した状態に置かれ、やがて枯れてしまう。
【００２３】街路樹や草花の花壇の中に敷き詰められたセラミックスは、数年後には自然と瓦解して元の土壌（クチャ）に戻る。元に戻ったクチャは細かい粒子になって、地中深く浸透して植物の生育を阻害する。
【実施例１】
【００２４】海成堆積の土壌（クチャを）を準備をする。
【実施例２】
【００２５】海成堆積の土壌（クチャ）を直経１〜５ミリの球形、または直系１〜２ミリ、長さ５ミリ程度のペレット状に加工する。
【実施例３】
【００２６】海成堆積の土壌（クチャ）を７００〜８００度の高温で焼き、セラミックスに加工する
【産業上の利用可能性】
【００２７】海成堆積のクチャは、これまで有害無益な土壌として扱われてきた。このクチャをセラミックスに加工して、街路樹の下や花壇内の土の表面に３〜５センチの厚さで敷き詰める。この敷き詰められたセラミックスは、雑草の種子や球根等に光や空気．水分等を遮断する為、種子が発芽できず自然と枯れてしまうか、またはそのままの状態で休眠してし発芽する事ができない。【００２８】海成堆積のクチャをセラミックスに加工後、樹木の下や花壇の中に敷き詰められたセラミックスは、数年後に瓦解して元の土壌（クチャ）になり、光や空気等を遮断するようになる。
【符号の説明】
【００２９】ａ  土壌（クチャ）を準備する
ｂ  土壌（クチャ）を１〜５ミリの球形、または直径１〜２ミリ、長さ５ミリ程度のペレット状に加工する。
ｃ  土壌（クチャ）を球形またはペレット状に加工し、７００〜８００度で加熱して、セラミックスに加工する。
【図１】
0003201641.tif 000003
【図２】
0003201641.tif 000004
【図３】
0003201641.tif 000005
【手続補正書】
【提出日】平成27年7月27日(2015.7.27)
【手続補正１】
【補正対象書類名】実用新案登録請求の範囲
【補正対象項目名】全文
【補正方法】変更
【補正の内容】
【実用新案登録請求の範囲】
【請求項１】
海成堆積の土（クチャ）を使用し又は他の土と混合して各種の形状を有する個体に加工後加熱処理したセラミックスを使用して地表を覆い地中の植物の球根や地下茎に光や空気が届かないように遮断する。この光や空気を遮断して植物の成長を防ぐ事を特徴とする土（クチャ）のセラミックス。
【請求項２】
海成堆積の土（クチャ）を使用し又は他の土と混合後に加熱処理した粉末を使用して地表を覆い地中の植物の球根や地下茎に光や空気が届かないように遮断する。この光や空気を遮断して植物の成長を防ぐ事を特徴とする土（クチャ）の粉末。
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
海成堆積の土（クチャ）を球形やペレット状に加工後高温で加熱処理した固形物。
【請求項２】
海成堆積の土（クチャ）を粉末に加工後高温で加熱処理して容器に収納した粉末。